(57)【特許請求の範囲】
【請求項１】
各々がその外周上にキャリアスロット（２９）を定めるような、一対の対向する円形の回転子板（１７Ａ，１７Ｂ）と、
前記回転子板（１７Ａ，１７Ｂ）の間に設けられ、一端において第１の固定接点（１３Ａ）の反対側に配置された第１の可動接点（１４Ａ）と、前記一端の反対側の一端において第２の固定接点（１３Ｂ）の近傍に配置された第２の可動接点（１４Ｂ）とを有する可動接点アーム（１５）と、
前記回転子板（１７Ａ，１７Ｂ）と前記可動接点アーム（１５）とが一致して回転するように、前記回転子板（１７Ａ，１７Ｂ）と前記可動接点アーム（１５）とを通って延びる軸ピン（１８）と、
一方の接点スプリング（２３Ａ）は前記可動接点アーム（１５）の一方の側に配置され、他方の接点スプリング（２３Ｂ）はその反対側に配置される一対の第１接点スプリング（２３Ａ，２３Ｂ）及び
前記回転子板（１７Ａ，１７Ｂ）の間に設けられ、前記接点アーム（１５）上に形成された第１の形状表面（１５Ｂ）の近傍に配置された湾曲部（３３）により一端において連結された一対のサイドアーム（３２Ａ，３２Ｂ）を設け、前記第１および第２の固定および可動接点（１４Ｂ，１３Ｂ）の間に一定のスプリング力を作用させるＵ字型レバー（３１Ａ）
を含むことを特徴とする回路遮断器のロータリー接点装置。
【請求項２】
前記接点スプリング（２３Ａ，２３Ｂ）の各々の一端および前記サイドアーム（３２Ａ，３２Ｂ）を通って前記湾曲部（３３）の反対側の前記サイドアーム（３２Ａ，３２Ｂ）の一端において配置され、前記スロット（２９）内に置かれる一対の対向する保持ピン端部を含むスプリング保持ピン（２６Ａ）を含むことを特徴とする請求項１記載のロータリー接点装置。
【請求項３】
前記回転子板（１７Ａ，１７Ｂ）はその前記外周上に保持溝（２８）を更に設け、且つ、前記接点スプリング（２３Ａ，２３Ｂ）は、接点スプリングのもう一方の端を通って前記保持溝（２８）内に配置されるような、追加スプリング保持ピン（２７Ｂ）を含むことを特徴とする請求項２記載のロータリー接点装置。
【請求項４】
前記接点アーム（１５）上に形成された第２の形状表面（１５Ａ）の近傍に配置された追加湾曲部（３５）により一端において接合された一対の追加サイドアーム（３４Ａ，３４Ｂ）を定める前記回転子板（１７Ａ，１７Ｂ）の間に置かれた追加Ｕ字型レバー（３１Ｂ）を含むことを特徴とする請求項２記載のロータリー接点装置。
【請求項５】
一方（２４Ａ）は、前記可動接点アーム（１５）の前記一方の側に配置され、且つ、他方（２４Ｂ）は、その前記反対側に配置されるような、一対の追加接点スプリング（２４Ａ，２４Ｂ）を含むことを特徴とする請求項４記載のロータリー接点装置。
【請求項６】
前記追加接点スプリング（２４Ａ，２４Ｂ）の各々の一端および前記追加サイドアーム（３４Ａ，３４Ｂ）を通って前記追加湾曲部（３５）の反対側の前記追加サイドアーム（３４Ａ，３４Ｂ）の一端において配置され、前記回転子追加保持溝（２８）のうちの１つの内部に置かれる第１の対の対向する追加保持ピン端部を定める第１の追加スプリング保持ピン（２６Ｂ）を含むことを特徴とする請求項５記載のロータリー接点装置。
【請求項７】
前記回転子板（１７Ａ，１７Ｂ）はその前記外周上に追加スロット（２９）を更に定め、且つ、前記追加接点スプリング（２４Ａ，２４Ｂ）は、追加接点スプリングのもう一方の端を通って配置され、前記追加スロット（２９）内に配置される第２の対の対向する追加保持ピン端部を定める第２の追加スプリング保持ピン（２７Ａ）を含むことを特徴とする請求項６記載のロータリー接点装置。
【請求項８】
その各々がその外周上に搬送溝（２９）を定めるような一対の対向する円形回転子板（１７Ａ，１７Ｂ）を含むロータリー接点装置（２０）によって断続的に接続されるような、電気回路との接続用に配置されたラインストラップ（１１）、及び、前記ラインストラップ（１１）と電気的に接続し、且つ、関連する電気機器と電気的に接続するために配置された負荷ストラップ（１２）、
前記ラインおよび負荷ストラップ（１１，１２）間の過電流伝達に対して発生するアークを消滅するために、第１アークシュート（１６Ｂ）が前記ラインストラップ（１１）の近傍に置かれ、且つ、第２アークシュート（１６Ａ）が前記負荷ストラップ（１２）の近傍に置かれるような、一対の第１および第２アークシュート（１６Ａ，１６Ｂ）、
一端において、対向する第１の固定接点（１３Ａ）の反対側に配置された第１の可動接点（１４Ａ）と、前記一端の反対側の一端において、第２の固定接点（１３Ｂ）の近傍に配置された第２の可動接点（１４Ｂ）とを定めるような、前記回転子板（１７Ａ，１７Ｂ）の間にある可動接点アーム（１５）、
前記回転子板（１７Ａ，１７Ｂ）と前記可動接点アーム（１５）とが一致して回転するように、前記回転子板（１７Ａ，１７Ｂ）と前記可動接点アーム（１５）とを通って延びる軸ピン（１８）、
一方（２３Ａ）は前記可動接点アーム（１５）の一方の側に配置され、且つ、他方（２３Ｂ）はその反対側に配置されるような、一対の第１接点スプリング（２３Ａ，２３Ｂ）、及び
前記接点アーム上に形成された第１の形状表面（１５Ｂ）の近傍に配置された湾曲部（３３）により一端において接合された一対のサイドアーム（３２Ａ，３２Ｂ）を定め、前記第１および第２の固定および可動接点（１４Ａ，１３Ａ）の間に一定のスプリング力を準備するための、前記回転子板（１７Ａ，１７Ｂ）の間に置かれたＵ字型レバー（３１Ａ）
を含むことを特徴とする回路遮断器内部組立体。
【請求項９】
前記接点スプリング（２３Ａ，２３Ｂ）の各々の一端および前記サイドアーム（３２Ａ，３２Ｂ）を通って前記湾曲部（３３）の反対側の前記サイドアーム（３２Ａ，３２Ｂ）の一端において配置され、前記回転子搬送溝（２９）内に置かれる一対の対向する保持ピン端部を定めるような、スプリング保持ピン（２６Ａ）を含むことを特徴とする請求項８記載の回路遮断器内部組立体。
【請求項１０】
前記回転子板（１７Ａ，１７Ｂ）はその前記外周上に保持溝（２８）を更に定め、且つ、前記接点スプリング（２３Ａ，２３Ｂ）は、接点スプリングのもう一方の端を通って前記保持溝（２８）内に配置されるような、追加スプリング保持ピン（２７Ｂ）を含むことを特徴とする請求項９記載のロータリー接点装置。
【請求項１１】
前記接点アーム（１５）上に形成された第２の形状表面（１５Ａ）の近傍に配置された追加湾曲部（３５）により一端において接合された一対の追加サイドアーム（３４Ａ，３４Ｂ）を定めるような、前記回転子板（１７Ａ，１７Ｂ）の間に置かれた追加Ｕ字型レバー（３１Ｂ）を含むことを特徴とする請求項９記載のロータリー接点装置。
【発明の詳細な説明】
【０００１】
【発明の属する技術分野】
本発明は回路遮断器に関し、より詳細には、回路遮断器のロータリー接点アーム装置に関する。
【０００２】
【従来の技術】
ロータリー接点アーム装置内に電流遮断モジュールを持ち、それによって回路遮断器の可動接点アームが可動接点キャリアの対向する端部に配置される型の回路遮断器がある。この回路遮断器は、接点が一端に配置された可動接点キャリアを持つ型の回路遮断器よりも早い速度で回路電流を遮断できる。「回路遮断器用ロータリー接点システム」という名称で付与された米国特許第５，３１０，９７１号は、回路遮断器のラインストラップと負荷ストラップとに取り付けられた固定接点と、可動接点アームの対向する両端に配置された可動接点との間に均一な力の配分をもたらすため、接点スプリングと接点アームとの間にローラを使用しているロータリー接点アームを説明している。
【０００３】
【発明が解決しようとする課題】
固定接点と可動接点との間の不均一な力配分に付随する１つの問題は、固定接点の表面に沿った領域のうち、より低い力が作用する点において、一対の接点上に過度の接触腐食が生じうることである。
【０００４】
【課題を解決するための手段】
本発明の例示的実施態様においては、ロータリー接点アームの各々の側に配置された一対の接点スプリングを含む型の回路遮断器用のロータリー接点装置が、回転子と接点アームとの間で一対のＵ字型レバーを介して相互連結された接点スプリングを持つ。固定接点と可動接点との間の均一なスプリング力を確実にするため、Ｕ字型レバーのサイドアームは、回転子の外周表面と相互に作用し、一方、Ｕ字型レバーの湾曲部は、接点アームの形状表面と相互に作用する。
【０００５】
ロータリー回路遮断器の固定および可動接点の両方の対の間の均一な接触圧力は、接点スプリングと可動接点アームとの間にローラを挿入することなく達成される。この場合、分離された複数の極の各々に個別の可動接点アームを必要とする多極回路遮断器においてロータリー回路遮断器を使用する場合は、特に有利である。
【０００６】
【発明の実施の形態】
図１を参照すると、回路遮断器内部組立体の回転子組立体２０がラインストラップ１１と負荷ストラップ１２の間に示され、かつ関連したアークシュート１６Ａ，１６Ｂが示されている。単一の回転子組立体が示されているが、多極回路遮断器の各々の極には個別の回転子組立体が使用され、各々は同じように作動することが理解されるであろう。アークシュート１６Ａ，１６Ｂは、本出願の参考文献でもある、「電気回路遮断器などの回路遮断装置における電気アークを急速に消滅する組立体」という名称で付与された米国特許第４，３７５，０２１に説明されているものと類似である。
【０００７】
回路遮断器内部を通る電気の流れは、ラインストラップ１１から発して付随する固定接点１３Ｂに、次いで可動接点アーム１５の一端に接続された可動接点１４Ｂに至る。電流は更に、可動接点の反対側の接点１４Ａおよび固定接点１３Ａへ、そして負荷ストラップ１２へと移動する。可動接点アーム１５は、可動接点１４Ａ、１４Ｂを「閉」および「開」位置の間で変位させるため、リンク１９Ａ、１９Ｂによる回路遮断器作動メカニズム（図示しない）に連携した回転子１７とともに軸（ピン）１８を回転させる。回転子１７は、軸１８の回転運動に応答して接点を開閉する。延びだしているピン２５は、接点の開閉を手動で行えるようにするため、リンク１９Ａ、１９Ｂを介して回路遮断器作動メカニズムと連結する回転子１７に取り付けられたものである。
【０００８】
図２を参照すると、本発明の第１の実施形態の回転子組立体２０は、各々が符号２２で示されるような通路を持つ一対の突きだしシリンダー２１Ａ，２１Ｂにより連結される対向配置された一対の回転子板１７Ａ，１７Ｂを有する単一組立体として一般的に示されている。回転子板とシリンダーとは、良好な構造的特性および電気的絶縁特性を持つガラス充填熱硬化性樹脂から作られることが好ましく、また、中央作動軸１８は、可動接点アーム１５と両方の回転子板を通って延びている。
【０００９】
回転子板１７Ａ，１７Ｂの各々は、それらの対向する外周上にＵ字型保持溝２８と、符号３０で示されるようなラジアル方向に盛り上げられたストッパを持つキャリアスロット２９とを含む。対向する一対の接点スプリング２３Ａ、２３Ｂは、一端側で、スプリングの一端が取り付けられたスプリングピン２６Ａによりスロット２９に沿って誘導され、他端側ではＵ字型保持溝２８内に捕捉されたスプリングピン２７Ｂにより保持される。対向する一対の接点スプリング２４Ａ，２４Ｂは、一端側では、スプリングの一端が取り付けられたスプリングピン２６Ｂによりスロット２９に沿って誘導され、他端ではＵ字型保持溝２８内に捕捉されたスプリングピン２７Ａにより保持される。スプリングピン２６Ａ、２６Ｂ、２７Ａ及び２７Ｂは、一対のＵ字型レバー３１Ａ，３１Ｂと協働する。その様子は、Ｕ字型レバー３１Ａ，３１Ｂを詳細に描いた図３により最もよく理解される。図３では、回転子板１７Ａが取り除かれ、且つ、シリンダー２１Ａ，２１Ｂを断面にして示している。
【００１０】
ここで図３を参照すると、Ｕ字型レバー３１Ａ，３１Ｂは、開口４１，４２を介して中央軸１８と接続し、各々は、湾曲部３３，３５によってそれぞれ連結された一対の対向するサイドアーム３２Ａ、３２Ｂと３４Ａ、３４Ｂを有する。接点スプリング２３Ａ，２３Ｂの端部におけるスプリングピン２６Ａは、サイドアーム３２Ａ，３２Ｂの端部における開口部３６を通って延び、符号３９で示されるようにスロット２９の面上で終端となる。サイドアーム３２Ａ，３２Ｂを連結している湾曲部３３は、可動接点アーム１５の一端の表面１５Ｂに沿って載置されている。サイドアーム３４Ａ，３４Ｂを連結している湾曲部３５は、可動接点アームの他端の表面１５Ａに沿って載置されている。スプリングピン２６Ｂ，２７Ｂ及び接点スプリング２４Ａ，２４Ｂの関係は、前述の図２で示されたように、回転子板１７Ａに同様な方法で配置されることが理解される。
【００１１】
回転子板１７Ａ，１７Ｂと可動接点アーム１５の対向する端部の表面１５Ａ，１５Ｂとの間にＵ字型レバー３１Ａ，３１Ｂを配置することにより、接点スプリング２３Ａ，２３Ｂと２４Ａ，２４Ｂの力が相互にフィードバックされる関係で働くことを可能にする。これにより図１の固定接点１３Ａ，１３Ｂと可動接点１４Ａ，１４Ｂの間に一定の力が作用する。接点スプリングによって可動接点アームの一端で示された力は、その一端に付随する湾曲部との相互作用を介して、可動接点アームの他端に付随する湾曲部に伝達され、可動接点アームの他端に付随する湾曲部の位置を調節する。可動接点アームの一端における一対の固定および可動接点の間の力の増加は、それに応じて他の一対の固定および可動接点の間のそれに相当する力の増加として反映され、それにより関連する回路遮断器の作動寿命を通じて、両方の固定および可動接点の対の間で一定の力をもたらす。
【図面の簡単な説明】
【図１】本発明の一実施形態によるロータリー接点組立体を使用しているロータリー接点回路遮断器内部の正面斜視図である。
【図２】図１の回路遮断器内部に包含された回転子組立体の拡大正面斜視図である。
【図３】図２の回路遮断器内部に包含された回転子組立体で、Ｕ字型レバーを極めて詳細に描くために回転子板を取り外した拡大正面斜視図である。
【符号の説明】
１１  ラインストラップ
１２  負荷ストラップ
１３Ａ  固定接点
１３Ｂ  固定接点
１４Ａ  可動接点
１４Ｂ  可動接点
１５  可動接点アーム
１６Ａ  アークシュート
１６Ｂ  アークシュート
１８  軸
１９Ａ  リンク
１９Ｂ  リンク
２０  回転子組立体
２５  ピン
【図１】
0004430809.tif 000002
【図２】
0004430809.tif 000003
【図３】
0004430809.tif 000004